【手続補正書】
【提出日】平成30年2月6日(2018.2.6)
【手続補正１】
【補正対象書類名】特許請求の範囲
【補正対象項目名】全文
【補正方法】変更
【補正の内容】
【特許請求の範囲】
【請求項１】
房状物品を形成するように房付け機を動作させる方法であって、前記方法は、
前記房付け機を通して下地材料を移動させることと、
少なくとも１つのニードルバーであって、一連の離間されたニードルをそれに沿って担持するニードルバーを、複数の駆動アセンブリを用いて、前記下地材料に向かって、およびそこから離れるように往復させることであって、各駆動アセンブリが、一連の駆動歯車と、一対のカムアームであって、それぞれ、前記駆動歯車の回転によって実質的に直線状の往復運動において移動されるように、前記一連の駆動歯車の駆動歯車のうちの１つに接続される、カムアームと、カムアーム間に延在し、それとともに移動する、ロッカアームと、プッシュロッドであって、前記ロッカアームの中間部分に沿って枢動可能に搭載され、前記カムアームの実質的に直線状の往復運動を前記プッシュロッドに付与するために、前記ニードルバーに接続される、プッシュロッドとを備える、ことと、
前記下地材料に一連の房を形成するために、前記ニードルバーに沿って配列される前記ニードルに一連の糸を給送することと、
前記駆動歯車のうちの選択されたものが回転される速度を変動させることと、
前記駆動歯車のうちの選択されたものの回転速度の変動に応答して、前記ニードルバーのストロークを調節するように、前記駆動アセンブリの前記ロッカアームを前記そこに搭載されるプッシャロッドに対して再配向することと
を含む、方法。
【請求項２】
前記一連の駆動歯車のうちの選択されたものが回転される速度を変動させることは、前記駆動歯車の第１の駆動歯車に結合される駆動モータを異なる速度で動作させることを含む、請求項１に記載の方法。
【請求項３】
前記駆動歯車のうちの選択されたものが回転される速度を変動させることは、スティッチサイクルの間の前記駆動歯車の選択されたものの回転速度を調節し、前記ニードルの静止時間を調節することをさらに含む、請求項１に記載の方法。
【請求項４】
房付けゾーンを通して前記下地材料の移動に対して横方向に前記少なくとも１つのニードルバーをシフトさせることをさらに含む、請求項１に記載の方法。
【請求項５】
前記糸を前記下地材料の下またはそこから外に引くように、前記ニードルへの前記糸の少なくとも選択されたものの給送を変動させることをさらに含む、請求項１に記載の方法。
【請求項６】
前記ロッカアームを再配向することは、各対のカムアームのカムアームを駆動させることを含み、各対のカムアームの間に前記ロッカアームが位相がずれた関係で搭載され、前記プッシュロッドに対する前記ロッカアームの枢動を生じさせる、請求項１に記載の方法。
【請求項７】
前記ニードルが、前記下地材料の中に往復され、一連のループおよび／またはカットパイル房を形成するにつれて、前記ニードルと一連のループパイルルーパ、カットパイルフック、またはレベルカットループルーパを係合させることをさらに含む、請求項１に記載の方法。
【請求項８】
房付け機であって、前記房付け機は、
フレームと、
前記フレームに沿って画定される房付けゾーンであって、それを通して下地材料が給送される、房付けゾーンと、
前記下地材料に向かって、およびそこから離れるように往復可能であるニードルバーであって、前記ニードルバーは、前記下地材料に糸の房を形成するために、それに沿って一連の離間されたニードルを有する、ニードルバーと、
前記房付け機の前記フレームに沿って搭載されるニードルバー駆動システムであって、前記ニードルバー駆動システムは、一連の駆動モータがそこに結合された少なくとも１つの駆動アセンブリを備え、前記少なくとも１つの駆動アセンブリが、
それぞれが前記駆動モータのうちの少なくとも１つによって独立して駆動される一対の第１の駆動部材と、
それぞれが、前記駆動モータによる前記第１の駆動部材の駆動に応答して、対応して駆動されるように、前記第１の駆動部材に連結される一対の第２の駆動部材と、
カムアームであって、前記第２の駆動部材のそれぞれに搭載され、それぞれが、前記第２の駆動部材の駆動に応答して、実質的に直線状の運動において移動可能である、カムアームと、
前記カムアームとともに移動するように前記カムアーム間に搭載されるロッカアームと、
前記ロッカアームと、前記ニードルバーとに結合されるプッシュロッドであって、それによって、前記カムアームの実質的に直線状の移動が、選択された長さのストロークに沿って前記ニードルバーを往復運動において移動させるように、前記ニードルバーに付与される、プッシュロッドと
を備える、ニードルバー駆動システムと
を備え、
前記第１の駆動部材のうちの少なくとも１つの回転速度の変動が、前記ロッカアームをそこに結合される前記プッシュロッドに対して再配向し、前記ニードルバーのストロークの長さを調節するために十分であるように、前記カムアームのうちの選択された１つの実質的に直線状の運動を他のカムアームに対して変動させる、房付け機。
【請求項９】
各第１の駆動部材を前記第２の駆動部材のうちの対応する１つに連結する駆動ベルトまたはチェーンをさらに備える、請求項８に記載の房付け機。
【請求項１０】
前記カムアームの近位端はそれぞれ、中心からずれた場所において前記第２の駆動部材に搭載される、請求項８に記載の房付け機。
【請求項１１】
前記房付け機のフレームを横断して離間されて直列に搭載される一連の駆動アセンブリをさらに備える、請求項８に記載の房付け機。
【請求項１２】
前記駆動モータは、少なくとも２つの独立制御式変速モータから成る、請求項１１に記載の房付け機。
【請求項１３】
前記駆動モータは、一連の接続された駆動シャフトによって前記駆動アセンブリのそれぞれに結合される少なくとも４速のモータから成る、請求項１１に記載の房付け機。
【請求項１４】
前記ニードルが前記下地材料と係合するように往復されるにつれて、前記下地材料に糸の房を形成するために、前記ニードルバーのニードルへの糸の給送を選択的に制御するための糸給送機構をさらに備える、請求項８に記載の房付け機。
【手続補正２】
【補正対象書類名】明細書
【補正対象項目名】００１３
【補正方法】変更
【補正の内容】
【００１３】
本発明の種々の特徴、目的、および利点が、付随の図面と関連して検討されることによって、以下の詳細な説明の精査に応じて、当業者に明白となる。
本発明は、例えば、以下を提供する。
（項目１）
往復運動において房付け機のニードルバーを駆動させるための可変駆動システムであって、
それぞれが駆動シャフトに接続される一対のモータと、
前記房付け機のフレームを横断して離間して直列に搭載される複数の駆動アセンブリであって、それぞれが、
第１の駆動部材がそれぞれ、前記モータのうちの１つの動作によって駆動されるように、それぞれ前記モータのうちの１つの駆動シャフトのうちの１つに連結される一対の第１の駆動部材と、
それぞれが、前記第１の駆動部材によって駆動されるように、前記第１の駆動部材のうちの関連付けられた１つに連結される、一対の第２の駆動部材と、
一連のカムアームであって、それぞれが、前記第２の駆動部材のうちの１つに結合される近位端と、そこから離間される遠位端とを有する、カムアームと、
前記カムアーム間に延在するロッカアームと、
前記ロッカアームの端部の中間の場所において前記ロッカアームに取り付けられる近位端を有する、プッシュロッドであって、選択されたストロークに沿って前記ニードルバーを移動させるために、前記房付け機のニードルバーに連結される、プッシュロッドと、
を備える、駆動アセンブリと、
を備え、前記モータが前記第１の駆動部材を駆動させるにつれて、前記カムアームは、実質的に往復移動におけるそのストロークに沿って、前記プッシュロッドおよびそこに連結されたニードルバーを駆動させるために、実質的に往復運動において移動され、前記モータはそれぞれ、前記ニードルバーのストロークを調節するように、前記駆動アセンブリのそれぞれの各カムアームの移動を変動させるための可変速度で動作可能である、可変駆動システム。
（項目２）
各第１の駆動部材を前記第２の駆動部材のうちの関連付けられた１つに連結する駆動ベルトまたはチェーンをさらに備える、項目１に記載の可変駆動システム。
（項目３）
前記カムアームの近位端はそれぞれ、中心からずれた場所において前記第２の駆動部材に搭載される、項目１に記載の可変駆動システム。
（項目４）
前記モータは、変速駆動モータを含む、項目１に記載の可変駆動システム。
（項目５）
各駆動シャフトは、前記房付け機の幅を実質的に横断して延在する、項目４に記載の可変駆動システム。
（項目６）
前記駆動シャフトはそれぞれ、前記房付け機の幅を横断して直列に接続される複数の駆動シャフトを含む、項目４に記載の可変駆動システム。
（項目７）
房状物品を形成するように房付け機を動作させる方法であって、
前記房付け機を通して下地材料を移動させるステップと、
少なくとも１つのニードルバーであって、一連の離間されたニードルをそれに沿って担持するニードルバーを、複数の駆動アセンブリを用いて、前記下地材料に向かって、かつそこから離れるように往復させるステップであって、各駆動アセンブリが、一連の駆動歯車と、一対のカムアームであって、それぞれ、前記駆動歯車の回転によって実質的に直線状の往復運動において移動されるように、前記一連の駆動歯車の駆動歯車のうちの１つに接続される、カムアームと、カムアーム間に延在し、それとともに移動する、ロッカアームと、プッシュロッドであって、前記ロッカアームの中間部分に沿って枢動可能に搭載され、前記カムアームの実質的に直線状の往復運動を前記プッシュロッドに付与するために、前記ニードルバーに接続される、プッシュロッドとを備える、ステップと、
前記下地材料に一連の房を形成するために、前記ニードルバーに沿って配列される前記ニードルに一連の糸を給送するステップと、
前記駆動歯車のうちの選択されたものが回転される速度を変動させるステップと、
前記駆動歯車のうちの選択されたものの回転速度の変動に応答して、前記ニードルバーのストロークを調節するように、前記駆動アセンブリのロッカアームを前記そこに搭載されるプッシャロッドに対して再配向するステップと、
を含む、方法。
（項目８）
前記一連の駆動歯車のうちの選択されたものが回転される速度を変動させるステップは、前記駆動歯車の第１の駆動歯車に結合される駆動モータを異なる速度で動作させることを含む、項目７に記載の方法。
（項目９）
前記駆動歯車のうちの選択されたものが回転される速度を変動させるステップはさらに、スティッチサイクルの間の前記駆動歯車の選択されたものの回転速度を調節し、前記ニードルの静止時間を調節することを含む、項目７に記載の方法。
（項目１０）
前記房付けゾーンを通して前記下地材料の移動に対して横方向に前記少なくとも１つのニードルバーをシフトさせるステップをさらに含む、項目７に記載の方法。
（項目１１）
前記糸を前記下地材料の下またはそこから外に引くように、前記ニードルへの前記糸の少なくとも選択されたものの給送を変動させるステップをさらに含む、項目７に記載の方法。
（項目１２）
前記ロッカアームを再配向するステップは、各対のカムアームのカムアームを駆動させることを含み、各対のカムアームの間に前記ロッカアームが位相がずれた関係で搭載され、前記プッシュロッドに対する前記ロッカアームの枢動を生じさせる、項目７に記載の方法。
（項目１３）
前記ニードルが、前記下地材料の中に往復され、一連のループおよび／またはカットパイル房を形成するにつれて、前記ニードルと一連のループパイルルーパ、カットパイルフック、またはレベルカットループルーパを係合させるステップをさらに含む、項目７に記載の方法。
（項目１４）
房付け機であって、
フレームと、
前記フレームに沿って画定される房付けゾーンであって、それを通して下地材料が給送される、房付けゾーンと、
前記下地材料に向かって、かつそこから離れるように往復可能であるニードルバーであって、前記下地材料に糸の房を形成するために、それに沿って一連の離間されたニードルを有する、ニードルバーと、
前記房付け機のフレームに沿って搭載されるニードルバー駆動システムであって、一連の駆動モータがそこに結合された、少なくとも１つの駆動アセンブリを備え、
前記少なくとも１つの駆動アセンブリが、
それぞれが前記駆動モータのうちの少なくとも１つによって独立して駆動される、一対の第１の駆動部材と、
それぞれが、前記駆動モータによる前記第１の駆動部材の駆動に応答して、対応して駆動されるように、前記第１の駆動部材に連結される、一対の第２の駆動部材と、
カムアームであって、前記第２の駆動部材のそれぞれに搭載され、それぞれが、前記第２の駆動部材の駆動に応答して、実質的に直線状の運動において移動可能である、カムアームと、
前記カムアームとともに移動するように前記カムアーム間に搭載される、ロッカアームと、
前記ロッカアームと、前記ニードルバーとに結合される、プッシュロッドであって、それによって、前記カムアームの実質的に直線状の移動が、選択された長さのストロークに沿って前記ニードルバーを往復運動において移動させるように、前記ニードルバーに付与される、プッシュロッドと、を備える、ニードルバー駆動システムと、
を備え、
前記第１の駆動部材のうちの少なくとも１つの回転速度の変動が、前記ロッカアームをそこに結合されるプッシュロッドに対して再配向し、前記ニードルバーのストロークの長さを調節するために十分であるように、前記カムアームのうちの選択された１つの実質的に直線状の運動を他のカムアームに対して変動させる、房付け機。
（項目１５）
各第１の駆動部材を前記第２の駆動部材のうちの対応する１つに連結する駆動ベルトまたはチェーンをさらに備える、項目１４に記載の房付け機。
（項目１６）
前記カムアームの近位端はそれぞれ、中心からずれた場所において前記第２の駆動部材に搭載される、項目１４に記載の房付け機。
（項目１７）
前記房付け機のフレームを横断して離間されて直列に搭載される一連の駆動アセンブリをさらに備える、項目１４に記載の房付け機。
（項目１８）
前記駆動モータは、少なくとも２つの独立制御式変速モータから成る、項目１７に記載の房付け機。
（項目１９）
前記駆動モータは、一連の接続された駆動シャフトによって前記駆動アセンブリのそれぞれに結合される、少なくとも４速のモータから成る、項目１７に記載の房付け機。
（項目２０）
前記ニードルが前記下地材料と係合するように往復されるにつれて、前記下地材料に糸の房を形成するために、前記ニードルバーのニードルへの糸の給送を選択的に制御するための糸給送機構をさらに備える、項目１４に記載の房付け機。